(57)【特許請求の範囲】
【請求項１】
通信端末のＵＲＩ情報とＩＰアドレス情報をＳＩＰサーバに登録し、該ＳＩＰサーバに登録されたＵＲＩ情報及びＩＰアドレスが参照されることで、通信端末への通信が可能な、ＳＩＰを用いて通信するデータ通信システムにおいて、特定のエリアに呼が集中してネットワークが輻輳することを防ぐためのデータ通信システムであって、
通信端末とデータを送受信する基地局と、
前記基地局を集約し、自装置を介する呼の呼量を管理するパケット制御装置と、
前記基地局及び前記パケット制御装置を備える第１のネットワークと、第２のネットワークとのインタフェースを行うゲートウェイ装置と、
通信端末のＵＲＩ情報とＩＰアドレス情報が対応して登録され、ＳＩＰ通信の制御を行う、第２のネットワーク上に設置されたＳＩＰサーバと
を備え、
前記パケット制御装置は、自装置が管理する呼量が予め定められた閾値を上回ったことを検出すると、前記ゲートウェイ装置に対して規制開始メッセージを送信し、
前記ゲートウェイ装置は、規制開始メッセージを前記パケット制御装置から受信すると、該パケット制御装置が管理する通信端末の前記登録を解除するための登録解除メッセージを、前記ＳＩＰサーバに送信し、
前記ＳＩＰサーバが、登録解除メッセージに従い、該通信端末のＵＲＩ情報とＩＰアドレス情報を削除することにより、ＳＩＰを用いた該通信端末へのデータ通信の規制を行うデータ通信システム。
【請求項２】
前記ゲートウェイ装置は、
前記パケット制御装置の識別情報と、通信端末のＵＲＩ情報と、通信端末のＩＰアドレス情報とを対応して記憶する記憶部と、
通信端末から送信される該通信端末のＵＲＩ情報とＩＰアドレス情報とを含む、ＵＲＩ情報とＩＰアドレス情報とを前記ＳＩＰサーバへ登録するための登録メッセージを、前記パケット制御装置を介して受信すると、通信端末のＵＲＩ情報とＩＰアドレス情報とを取り出して該パケット制御装置の識別情報に対応して前記記憶部に記憶し、受信された登録メッセージを前記ＳＩＰサーバへ送信するパケット処理部と、
前記パケット制御装置から規制開始メッセージを受信すると、該無線パケット制御装置の識別情報に対応するひとつ又は複数のＵＲＩ情報及びＩＰアドレス情報を前記記憶部から読み出し、読み出されたＵＲＩ情報及びＩＰアドレス情報を含む前記登録解除メッセージを作成して、前記ＳＩＰサーバに送信するパケット生成部と
を有し、
前記ＳＩＰサーバは、
受信された該登録解除メッセージに含まれるＵＲＩ情報及びＩＰアドレス情報に従い、登録された該ＵＲＩ情報及び該ＩＰアドレス情報を削除する請求項１に記載のデータ通信システム。
【請求項３】
前記パケット制御装置は、
自装置が管理するエリア内又は基地局の呼量を計測する呼量計測部を有し、
前記呼量計測部において計測した呼量が予め定められた閾値を上回った場合に、前記規制開始メッセージを送信することを特徴とした請求項１に記載のデータ通信システム。
【請求項４】
前記パケット制御装置は、前記通信端末に対して規制中メッセージを送信することを特徴とした請求項１に記載のデータ通信システム。
【請求項５】
前記基地局は、カバーするエリアの前記通信端末と無線で通信するひとつ又は複数の無線基地局であり、
前記パケット制御装置がひとつ又は複数の前記無線基地局を集約し、該無線基地局がカバーするエリアに対して通信規制が可能な請求項１に記載のデータ通信システム。
【請求項６】
前記パケット制御装置は、自装置が管理する呼量が予め定められた第２の閾値を下回ったことを検出すると、前記ゲートウェイ装置に対して規制解除メッセージを送信し、
前記ゲートウェイ装置の前記パケット生成部は、
該無線パケット制御装置の識別情報に対応するひとつ又は複数のＵＲＩ情報及びＩＰアドレス情報を前記記憶部から読み出し、
読み出されたＵＲＩ情報及びＩＰアドレス情報を含む第２の登録メッセージを作成して、前記ＳＩＰサーバに送信し、
前記ＳＩＰサーバは、
受信された第２の登録メッセージに含まれるＵＲＩ情報及びＩＰアドレス情報を登録することで、規制開始前に登録されていた通信端末への通信が可能となる請求項２に記載のデータ通信システム。
【請求項７】
通信端末のＵＲＩ情報とＩＰアドレス情報をＳＩＰサーバに登録し、該ＳＩＰサーバに登録されたＵＲＩ情報及びＩＰアドレスが参照されることで、通信端末への通信が可能な、ＳＩＰを用いて通信するデータ通信システムにおいて、特定のエリアに呼が集中してネットワークが輻輳することを防ぐためのデータ通信システムであって、
通信端末とデータを送受信する基地局と、
前記基地局を集約し、自装置を介する呼の呼量を管理するパケット制御装置と、
前記基地局及び前記パケット制御装置を備える第１のネットワークと、第２のネットワークとのインタフェースを行うゲートウェイ装置と、
通信端末のＵＲＩ情報とＩＰアドレス情報が対応して登録され、ＳＩＰ通信の制御を行う、第２のネットワーク上に設置されたＳＩＰサーバと、
第１のネットワークの状態を監視するための監視サーバと
を備え、
前記パケット制御装置は、自装置が管理する呼量が予め定められた閾値を上回ったことを検出すると、前記監視サーバに対して呼量閾値超過メッセージを送信し、
前記監視サーバは、呼量閾値超過メッセージを表示し、該表示に従い入力される規制開始の指示に従い、前記ゲートウェイ装置に対して規制開始メッセージを送信し、
前記ゲートウェイ装置は、規制開始メッセージを前記監視サーバから受信すると、該パケット制御装置が管理する通信端末の前記登録を解除するための登録解除メッセージを、前記ＳＩＰサーバに送信し、
前記ＳＩＰサーバが、登録解除メッセージに従い、該通信端末のＵＲＩ情報とＩＰアドレス情報を削除することにより、ＳＩＰを用いた該通信端末へのデータ通信の規制を行うデータ通信システム。
【請求項８】
通信端末の識別情報とアドレス情報をサーバに登録し、該サーバに登録された識別情報及びアドレス情報が参照されることで、通信端末への通信が可能なデータ通信システムにおいて、特定のエリアに呼が集中してネットワークが輻輳することを防ぐためのデータ通信システムであって、
通信端末とデータを送受信する基地局と、
前記基地局を集約し、自装置を介する呼の呼量を管理するパケット制御装置と、
前記基地局及び前記パケット制御装置を備える第１のネットワークと、第２のネットワークとのインタフェースを行うゲートウェイ装置と、
通信端末の識別情報とアドレス情報が対応して登録され、通信の制御を行う、第２のネットワーク上に設置されたサーバと
を備え、
前記パケット制御装置は、自装置が管理する呼量が予め定められた閾値を上回ったことを検出すると、前記ゲートウェイ装置に対して規制開始メッセージを送信し、
前記ゲートウェイ装置は、規制開始メッセージを前記パケット制御装置から受信すると、該パケット制御装置が管理する通信端末の前記登録を解除するための登録解除メッセージを、前記サーバに送信し、
前記サーバが、登録解除メッセージに従い、該通信端末の識別情報とアドレス情報を削除することにより、該通信端末へのデータ通信の規制を行うデータ通信システム。
【請求項９】
通信端末のＵＲＩ情報とＩＰアドレス情報をＳＩＰサーバに登録し、該ＳＩＰサーバに登録されたＵＲＩ情報及びＩＰアドレスが参照されることで、通信端末への通信が可能な、ＳＩＰを用いて通信するデータ通信システムにおいて、特定のエリアに呼が集中してネットワークが輻輳することを防ぐためのデータ通信規制方法であって、
基地局を集約するパケット制御装置は、自装置を介する呼の呼量を管理し、
パケット制御装置は、自装置が管理する呼量が予め定められた閾値を上回ったことを検出すると、ゲートウェイ装置に対して規制開始メッセージを送信し、
ゲートウェイ装置は、規制開始メッセージをパケット制御装置から受信すると、該パケット制御装置が管理する通信端末の前記登録を解除するための登録解除メッセージを、ＳＩＰサーバに送信し、
ＳＩＰサーバが、登録解除メッセージに従い、該通信端末のＵＲＩ情報とＩＰアドレス情報を削除することにより、ＳＩＰを用いた該通信端末へのデータ通信の規制を行うデータ通信規制方法。
【請求項１０】
通信端末のＵＲＩ情報とＩＰアドレス情報をＳＩＰサーバに登録し、該ＳＩＰサーバに登録されたＵＲＩ情報及びＩＰアドレスが参照されることで、通信端末への通信が可能な、ＳＩＰを用いて通信するデータ通信システムにおいて、特定のエリアに呼が集中してネットワークが輻輳することを防ぐためのデータ通信規制方法であって、
基地局を集約するパケット制御装置は、自装置を介する呼の呼量を管理し、
パケット制御装置は、自装置が管理する呼量が予め定められた閾値を上回ったことを検出すると、監視サーバに対して呼量閾値超過メッセージを送信し、
監視サーバは、呼量閾値超過メッセージを表示し、該表示に従い入力される規制開始の指示に従い、ゲートウェイ装置に対して規制開始メッセージを送信し、
ゲートウェイ装置は、規制開始メッセージを監視サーバから受信すると、該パケット制御装置が管理する通信端末の登録を解除するための登録解除メッセージを、ＳＩＰサーバに送信し、
ＳＩＰサーバが、登録解除メッセージに従い、該通信端末のＵＲＩ情報とＩＰアドレス情報を削除することにより、ＳＩＰを用いた該通信端末へのデータ通信の規制を行うデータ通信規制方法。
【発明の詳細な説明】
【技術分野】
【０００１】
本発明は、データ通信システムおよびデータ通信規制方法に係り、特に、ＳＩＰ（Ｓｅｓｓｉｏｎ  Ｉｎｉｔｉａｔｉｏｎ  Ｐｒｏｔｏｃｏｌ）を用いたデータ通信を行う無線データ通信システムにおいて、移動体通信ネットワーク上の呼量に応じて、ＳＩＰサーバへ登録解除を行うことにより、ある特定エリアの移動体通信端末への通信規制を行うデータ通信システムおよびデータ通信規制方法に関する。
【背景技術】
【０００２】
近年、携帯電話やＰＨＳ（Ｐｅｒｓｏｎａｌ  Ｈａｎｄｙｐｈｏｎｅ  Ｓｙｓｔｅｍ）など移動体通信端末の普及が急速に進み、日本においては国民のほとんどが１台もしくは複数台の端末を所有しているという状況である。また、従来の移動体データ通信の主なアプリケーションとしては、電子メールやＷｅｂの閲覧などであったが、最近では音声通話などＳＩＰを用いたリアルタイム通信の開発も進んでいる。このような状況下において、もしある地域において地震など大規模災害が発生した場合、該地域へ呼が集中的に発生し移動体通信ネットワークの輻輳を引き起こす可能性がある。そのような状況におけるネットワークの輻輳を防止するため、特定地域へ呼が集中的に発生するような場合には、その地域に存在する移動体通信端末への着信に対して通信規制をかける必要がある。
また、ＩＰネットワークにおける輻輳制御方法等は、例えば特許文献１に開示されている技術がある。
【特許文献１】特開２００５−２０４１０３号公報
【発明の開示】
【発明が解決しようとする課題】
【０００３】
携帯電話やＰＨＳなどＩＰ技術を用いた移動体データ通信ネットワークにおいて、ＳＩＰを用いることにより、音声通話などのリアルタイム通信を可能にする移動体通信システムが考案されている。そのようなシステムにおいて、例えば地震等の災害が発生した場合、ある特定エリアに呼が集中し、移動体通信ネットワークが輻輳するような状況が考えられる。
本発明は、以上の点に鑑み、ある特定エリアに呼が集中しているような状況において、該当エリアに存在する無線通信端末（又は移動体端末）のＳＩＰレジストレーションの登録解除を行うことにより、無線データ通信ネットワーク（又は移動体データ通信ネットワーク）内への呼の侵入を防ぎ、ネットワークの輻輳を防止することを目的とする。
また、本発明は、地震や洪水などの大規模災害が発生した場合、ある特定エリアに呼が集中し、ネットワークが輻輳を起こしてしまう状況においても、移動体通信ネットワーク内の輻輳を回避することを目的のひとつとする。また、本発明は、緊急連絡等の緊急度の高い呼を優先することが可能となり、また、電子メール等他の通信手段による安否確認や救助連絡を可能とすることを目的のひとつとする。
【課題を解決するための手段】
【０００４】
携帯電話等の移動体通信端末からＩＰネットワークにあるＳＩＰサーバへＳＩＰレジストレーションメッセージを送信する際、移動体通信ネットワークとＩＰネットワークとのゲートウェイ装置において、無線パケット制御装置より送信されるＳＩＰパケットの中身を解析し、概ＳＩＰパケットの送信元である無線パケット制御装置の識別ＩＤと、ＳＩＰレジストレーション登録要求を行う移動体通信端末のＵＲＩ情報、および端末のＩＰアドレスを、ゲートウェイ装置内部に備えた記憶部により記憶する。また、移動体通信ネットワーク内にある無線パケット制御装置において装置内部に呼量を計測する呼量計測部を備え、自装置における呼量が予め定められた閾値以上となった場合、前記ゲートウェイ装置に対して、規制開始メッセージを送信する。もしくは、移動体通信ネットワーク上にネットワークの状態を監視する監視サーバを備え、前記呼量計測部により計測した呼量が閾値以上になったことを、前記監視サーバに通知し、オペレータの指示により、前記監視サーバから前記無線パケット制御装置に規制開始指示を送信することにより、前記ゲートウェイ装置に規制開始メッセージを送信しても良い。前記ゲートウェイ装置では、前記規制開始メッセージを受け、前記記憶部より規制開始メッセージを送信してきた無線パケット制御装置配下の移動体端末を検索し、検索結果からＳＩＰレジストレーション登録解除メッセージを生成し、ＳＩＰサーバに送信することにより、ＳＩＰレジストレーションの登録解除を行う。以上のような機能を備えることにより、ある特定エリアに呼が集中するような場合においてもネットワークの輻輳を回避することが可能となる。
【０００５】
本発明の無線データ通信システムは、例えば、ＳＩＰを用いたデータ通信を行う無線データ通信システムにおいて、ある特定エリアに呼が集中している状況におけるネットワークの輻輳を防ぐ為の無線データ通信システムであって、無線データ通信端末と、前記無線データ通信端末と電波を用いて無線によりデータの送受信を行う無線基地局と、複数の基地局を集約し無線セッションの管理および無線パケットを終端する無線パケット制御装置と、無線ネットワークと外部のＩＰネットワークとのインタフェースを行うゲートウェイ装置と、ＩＰネットワーク上に設置されＳＩＰ通信の制御を行うＳＩＰサーバから構成され、前記無線パケット制御装置において呼の輻輳を検出し、前記ゲートウェイ装置に対して規制開始メッセージを送信し、前記ゲートウェイ装置から前記ＳＩＰサーバに対してＳＩＰレジストレーションの登録解除メッセージを送信することにより、ＳＩＰを用いたデータ通信の規制を行うことを特徴のひとつとする。
【０００６】
上述の無線データ通信システムにおいて、例えば、前記無線パケット制御装置は、自装置が管理するエリア内の呼量を計測する呼量計測部を備え、前記呼量計測部において計測した呼量が予め定められた閾値を上回った場合に、前記ゲートウェイ装置に対して規制開始メッセージを送信することを特徴のひとつとする。
上述の無線データ通信システムにおいて、例えば、前記無線パケット制御装置は、自装置が管理するエリア内の呼量を計測する呼量計測部を備え、前記呼量計測部において計測した呼量が予め定められた閾値を上回った場合に、前記無線データ通信端末に対して規制中メッセージを送信することを特徴のひとつとする。
【０００７】
上述の無線データ通信システムにおいて、例えば、前記ゲートウェイ装置は、前記無線パケット制御装置から送信されるＳＩＰパケットの解析を行い、前記無線データ通信端末からのＲＥＧＩＳＴＥＲメッセージに基づいて概無線データ通信端末のＵＲＩ情報とＩＰアドレスおよび前記ＳＩＰパケットの送信元である前記無線パケット制御装置の識別ＩＤとを記憶するためのＳＩＰパケット処理部および記憶部を備え、さらに前記記憶部に記憶された無線データ通信端末情報から、概無線データ通信端末の登録解除メッセージを生成するＳＩＰパケット生成部を備え、前記規制開始メッセージを受信した際に、概メッセージの送信元である無線パケット制御装置の識別ＩＤに対応する無線データ通信端末の登録解除メッセージを前記ＳＩＰサーバに送信することを特徴のひとつとする。
【０００８】
上述の無線データ通信システムにおいて、例えば、無線ネットワーク上にネットワークの状態を監視する監視サーバを設置し、前記無線パケット制御装置において、自装置が管理するエリア内の呼量を計測する呼量計測部を備え、前記呼量計測部において計測した呼量が予め定められた閾値を上回った場合に、前記監視サーバに対して呼量閾値超過メッセージを送信することを特徴のひとつとする。
上述の無線データ通信システムにおいて、例えば、オペレータの操作により前記監視サーバから前記無線パケット制御装置に規制開始メッセージを送信することにより、前記ゲートウェイ装置に対して規制開始メッセージを送信することを特徴のひとつとする。
【０００９】
本発明の第１の解決手段によると、
通信端末のＵＲＩ情報とＩＰアドレス情報をＳＩＰサーバに登録し、該ＳＩＰサーバに登録されたＵＲＩ情報及びＩＰアドレスが参照されることで、通信端末への通信が可能な、ＳＩＰを用いて通信するデータ通信システムにおいて、特定のエリアに呼が集中してネットワークが輻輳することを防ぐためのデータ通信システムであって、
通信端末とデータを送受信する基地局と、
前記基地局を集約し、自装置を介する呼の呼量を管理するパケット制御装置と、
前記基地局及び前記パケット制御装置を備える第１のネットワークと、第２のネットワークとのインタフェースを行うゲートウェイ装置と、
通信端末のＵＲＩ情報とＩＰアドレス情報が対応して登録され、ＳＩＰ通信の制御を行う、第２のネットワーク上に設置されたＳＩＰサーバと
を備え、
前記パケット制御装置は、自装置が管理する呼量が予め定められた閾値を上回ったことを検出すると、前記ゲートウェイ装置に対して規制開始メッセージを送信し、
前記ゲートウェイ装置は、規制開始メッセージを前記パケット制御装置から受信すると、該パケット制御装置が管理する通信端末の前記登録を解除するための登録解除メッセージを、前記ＳＩＰサーバに送信し、
前記ＳＩＰサーバが、登録解除メッセージに従い、該通信端末のＵＲＩ情報とＩＰアドレス情報を削除することにより、ＳＩＰを用いた該通信端末へのデータ通信の規制を行うデータ通信システムが提供される。
【００１０】
本発明の第２の解決手段によると、
通信端末のＵＲＩ情報とＩＰアドレス情報をＳＩＰサーバに登録し、該ＳＩＰサーバに登録されたＵＲＩ情報及びＩＰアドレスが参照されることで、通信端末への通信が可能な、ＳＩＰを用いて通信するデータ通信システムにおいて、特定のエリアに呼が集中してネットワークが輻輳することを防ぐためのデータ通信システムであって、
通信端末とデータを送受信する基地局と、
前記基地局を集約し、自装置を介する呼の呼量を管理するパケット制御装置と、
前記基地局及び前記パケット制御装置を備える第１のネットワークと、第２のネットワークとのインタフェースを行うゲートウェイ装置と、
通信端末のＵＲＩ情報とＩＰアドレス情報が対応して登録され、ＳＩＰ通信の制御を行う、第２のネットワーク上に設置されたＳＩＰサーバと、
第１のネットワークの状態を監視するための監視サーバと
を備え、
前記パケット制御装置は、自装置が管理する呼量が予め定められた閾値を上回ったことを検出すると、前記監視サーバに対して呼量閾値超過メッセージを送信し、
前記監視サーバは、呼量閾値超過メッセージを表示し、該表示に従い入力される規制開始の指示に従い、前記ゲートウェイ装置に対して規制開始メッセージを送信し、
前記ゲートウェイ装置は、規制開始メッセージを前記監視サーバから受信すると、該パケット制御装置が管理する通信端末の前記登録を解除するための登録解除メッセージを、前記ＳＩＰサーバに送信し、
前記ＳＩＰサーバが、登録解除メッセージに従い、該通信端末のＵＲＩ情報とＩＰアドレス情報を削除することにより、ＳＩＰを用いた該通信端末へのデータ通信の規制を行うデータ通信システムが提供される。
【００１１】
本発明の第３の解決手段によると、
通信端末の識別情報とアドレス情報をサーバに登録し、該サーバに登録された識別情報及びアドレス情報が参照されることで、通信端末への通信が可能なデータ通信システムにおいて、特定のエリアに呼が集中してネットワークが輻輳することを防ぐためのデータ通信システムであって、
通信端末とデータを送受信する基地局と、
前記基地局を集約し、自装置を介する呼の呼量を管理するパケット制御装置と、
前記基地局及び前記パケット制御装置を備える第１のネットワークと、第２のネットワークとのインタフェースを行うゲートウェイ装置と、
通信端末の識別情報とアドレス情報が対応して登録され、通信の制御を行う、第２のネットワーク上に設置されたサーバと
を備え、
前記パケット制御装置は、自装置が管理する呼量が予め定められた閾値を上回ったことを検出すると、前記ゲートウェイ装置に対して規制開始メッセージを送信し、
前記ゲートウェイ装置は、規制開始メッセージを前記パケット制御装置から受信すると、該パケット制御装置が管理する通信端末の前記登録を解除するための登録解除メッセージを、前記サーバに送信し、
前記サーバが、登録解除メッセージに従い、該通信端末の識別情報とアドレス情報を削除することにより、該通信端末へのデータ通信の規制を行うデータ通信システムが提供される。
【００１２】
本発明の第４の解決手段によると、
通信端末のＵＲＩ情報とＩＰアドレス情報をＳＩＰサーバに登録し、該ＳＩＰサーバに登録されたＵＲＩ情報及びＩＰアドレスが参照されることで、通信端末への通信が可能な、ＳＩＰを用いて通信するデータ通信システムにおいて、特定のエリアに呼が集中してネットワークが輻輳することを防ぐためのデータ通信規制方法であって、
基地局を集約するパケット制御装置は、自装置を介する呼の呼量を管理し、
パケット制御装置は、自装置が管理する呼量が予め定められた閾値を上回ったことを検出すると、ゲートウェイ装置に対して規制開始メッセージを送信し、
ゲートウェイ装置は、規制開始メッセージをパケット制御装置から受信すると、該パケット制御装置が管理する通信端末の前記登録を解除するための登録解除メッセージを、ＳＩＰサーバに送信し、
ＳＩＰサーバが、登録解除メッセージに従い、該通信端末のＵＲＩ情報とＩＰアドレス情報を削除することにより、ＳＩＰを用いた該通信端末へのデータ通信の規制を行うデータ通信規制方法が提供される。
【００１３】
本発明の第５の解決手段によると、
通信端末のＵＲＩ情報とＩＰアドレス情報をＳＩＰサーバに登録し、該ＳＩＰサーバに登録されたＵＲＩ情報及びＩＰアドレスが参照されることで、通信端末への通信が可能な、ＳＩＰを用いて通信するデータ通信システムにおいて、特定のエリアに呼が集中してネットワークが輻輳することを防ぐためのデータ通信規制方法であって、
基地局を集約するパケット制御装置は、自装置を介する呼の呼量を管理し、
パケット制御装置は、自装置が管理する呼量が予め定められた閾値を上回ったことを検出すると、監視サーバに対して呼量閾値超過メッセージを送信し、
監視サーバは、呼量閾値超過メッセージを表示し、該表示に従い入力される規制開始の指示に従い、ゲートウェイ装置に対して規制開始メッセージを送信し、
ゲートウェイ装置は、規制開始メッセージを監視サーバから受信すると、該パケット制御装置が管理する通信端末の登録を解除するための登録解除メッセージを、ＳＩＰサーバに送信し、
ＳＩＰサーバが、登録解除メッセージに従い、該通信端末のＵＲＩ情報とＩＰアドレス情報を削除することにより、ＳＩＰを用いた該通信端末へのデータ通信の規制を行うデータ通信規制方法が提供される。
【発明の効果】
【００１４】
本発明によると、ある特定エリアに呼が集中しているような状況において、該当エリアに存在する移動体端末のＳＩＰレジストレーションの登録解除を行うことにより、移動体データ通信ネットワーク内への呼の侵入を防ぎ、ネットワークの輻輳を防止することができる。
また、本発明によると、例えば、地震や洪水などの大規模災害が発生した場合、ある特定エリアに呼が集中し、ネットワークが輻輳を起こしてしまう状況においても、移動体通信ネットワーク内の輻輳を回避することが可能となる。また、本発明によると、緊急連絡等の緊急度の高い呼を優先することが可能となり、また、電子メール等他の通信手段による安否確認や救助連絡が可能となる。
【発明を実施するための最良の形態】
【００１５】
以下、本実施の形態を図面を参照しつつ、その装置構成例および処理の一例について説明する。なお、以下の説明では、３ＧＰＰ２（３ｒｄ  Ｇｅｎｅｒａｔｉｏｎ  Ｐａｒｔｎｅｒｓｈｉｐ  Ｐｒｏｊｅｃｔ  ２）において標準化されている１ｘＥＶ−ＤＯ（１ｘ  ｅｖｏｌｕｔｉｏｎ−ｄａｔａ  ｏｎｌｙ）システムを例に説明するが、適用領域はこの限りではない。
図１は、１ｘＥＶ−ＤＯシステムを例とした本実施の形態に係る通信規制システム（データ通信システム）のシステム構成図である。
本実施の形態における通信規制システムは、例えば、移動体無線通信端末（ＡＴ：Ａｃｃｅｓｓ  Ｔｅｒｍｉｎａｌ）１００、１０１と、無線基地局（ＡＰ：Ａｃｃｅｓｓ  Ｐｏｉｎｔ）２００〜２０３と、無線パケット制御装置（ＰＣＦ−ＳＣ：Ｐａｃｋｅｔ  Ｃｏｎｔｒｏｌ  Ｆｕｎｃｔｉｏｎ  −  Ｓｅｓｓｉｏｎ  Ｃｏｎｔｒｏｌ）３００、３０１と、移動体データ通信ネットワーク（第１のネットワーク）とＩＰネットワーク（第２のネットワーク）とのゲートウェイ装置（ＰＤＳＮ：Ｐａｃｋｅｔ  Ｄａｔａ  Ｓｅｒｖｉｎｇ  Ｎｏｄｅ）４００と、ＳＩＰサーバ５００と、ＩＰネットワーク上にあるＳＩＰ端末６００とを備える。各装置の動作は後述する。なお、以下の説明において、複数のＰＣＦ−ＳＣ３００、３０１をまとめてＰＣＦ−ＳＣ３００と記し、同様に、複数をまとめてＡＴ１００、ＡＰ２００と記すこともある。また、移動体データ通信ネットワークは、移動体に限らず、無線通信ネットワークでもよい。
本システムは、例えば、ＡＴ１００のＵＲＩ情報（Ｕｎｉｆｏｒｍ  Ｒｅｓｏｕｒｃｅ  Ｉｄｅｎｔｉｆｉｅｒ、リソース識別子、識別情報）とＩＰアドレス情報（アドレス情報）をＳＩＰサーバ５００に登録し、該ＳＩＰサーバ５００に登録されたＵＲＩ情報及びＩＰアドレスが参照されることで、ＵＲＩ情報からＩＰアドレスが取得され、通信端末１００への通信が可能である。
【００１６】
図２は、本システムにおけるＰＣＦ−ＳＣ３００、３０１およびＰＤＳＮ４００の内部構成図である。
ＰＣＦ−ＳＣ３００は、例えば、ＡＰ  ＩＦ部（基地局インタフェース部）３１０と、呼量計測部３２０と、無線パケット制御部３３０と、ＰＤＳＮ  ＩＦ部（ゲートウェイインタフェース部）３４０とを有する。
ＰＣＦ−ＳＣ３００には呼量を計測する呼量計測部３２０を備えている。呼量の計測方法としては、例えば現在Ａｃｔｉｖｅとなっている回線数をカウントする方法等が考えられる。なお、他の適宜の方法により呼量を計測してもよい。また、この呼量計測部３２０は、予め定められた規制開始閾値（第１の閾値）および規制解除閾値（第２の閾値）を予め記憶しており、それらを上回った場合および下回った場合に、ＰＤＳＮ４００に対して、規制開始メッセージおよび規制解除メッセージを送信する機能を備えている。
ＰＤＳＮ４００は、ＰＣＦ−ＳＣ  ＩＦ部（パケット制御装置インタフェース部）４１０と、記憶部４２０と、ＳＩＰパケット生成部４３０と、パケット処理部４４０と、ＩＰ網  ＩＦ部４５０とを有する。
ＰＤＳＮ４００には自装置を経由するＩＰパケットを解析するパケット処理部を備えており、パケット処理部４４０にてＲＥＧＩＳＴＥＲメッセージ（登録メッセージ）を識別し、受信したＲＥＧＩＳＴＥＲメッセージより、そのＳＩＰパケットの送信元であるＰＣＦ−ＳＣ３００の識別ＩＤ（識別情報）および、ＳＩＰレジストレーション登録を送信したＡＴのＵＲＩ情報とＩＰアドレスを記憶部４２０に記憶する。また、ＳＩＰパケット生成部４３０は、ＰＣＦ−ＳＣ３００より送信された規制開始メッセージおよび規制解除メッセージを受信した場合に、記憶部４２０に記憶した情報よりＡＴのレジストレーション登録解除および登録メッセージを生成し、ＳＩＰサーバ５００に送信する。
【００１７】
図３は、記憶部４２０の構成例である。
記憶部４２０は、例えば、ＰＣＦ−ＳＣ識別ＩＤ（識別情報）記憶領域４２１と、ＡＴのＵＲＩ情報記憶領域４２２と、ＡＴのＩＰアドレス記憶領域４２３と、登録解除中フラグ記憶領域４２４とを有する。
ＰＣＦ−ＳＣ識別ＩＤ記憶領域４２１には、ＳＩＰパケットを送信したＰＣＦ−ＳＣ３００の識別ＩＤを記憶する。ＡＴのＵＲＩ情報記憶領域４２２には、ＳＩＰレジストレーション登録を送信したＡＴのＵＲＩ情報を記憶する。ＡＴのＩＰアドレス記憶領域４２３には、ＳＩＰレジストレーション登録を送信したＡＴのＩＰアドレスを記憶する。登録解除中フラグ記憶領域４２４には、ＡＴが現在登録解除中かどうかの情報を記憶する。一例として、登録解除中（通信規制中）を１、登録解除中でない場合（通信規制なし）を０とすることができる。
【００１８】
図４に、ＳＩＰサーバ５００のメモリのフィールド構成を示す。ＳＩＰサーバ５００のメモリには、ＡＴのＵＲＩ情報に対応して、ＡＴのＩＰアドレスが記憶される。
図５は、通常時の処理手順の説明図である。図６は、通常時の処理手順のシーケンス図である。
まず、本システムにおける通常のＳＩＰによる処理手順について図５、図６を用いて説明する。これらの手順は、例えばＳＩＰに基づき実現できる。
ＡＴ１００は、ＡＰ２００と無線で通信を行う。ＰＣＦ−ＳＣ３００は、無線パケット制御装置であり、セッション情報の管理、端末認証、無線パケットの制御及び終端を行う等の機能を有する。また、ＰＣＦ−ＳＣ３００は、ＡＴ１００を集約し、自装置を介する呼の呼量を管理する。
ＰＤＳＮ４００は、ＡＰ２００、ＰＣＦ−ＳＣ３００を有する移動体通信ネットワークとＩＰネットワークとのインタフェースを行うゲートウェイ機能を有する。ＳＩＰサーバ５００は、ＩＰネットワークに設置され、ＡＴ１００のＵＲＩ情報とＩＰアドレス情報が対応して登録され、ＳＩＰ通信の制御を行う。
【００１９】
ＡＴ１００は、起動時にＳＩＰサーバ５００に対して自ＡＴ１００の登録要求を示すＲＥＧＩＳＴＥＲメッセージ７００を送信する。ＲＥＧＩＳＴＥＲメッセージは、例えば、ＡＴ１００のＵＲＩ情報と、ＩＰアドレス情報とを含む。このとき、ＡＰ２００、ＰＣＦ−ＳＣ３００、ＰＤＳＮ４００を経由することになる。これによりＳＩＰサーバ５００にＡＴ１００のＵＲＩ情報とＩＰアドレスが登録され（７０１）、以後ＳＩＰによるデータ通信（例えば、ＶｏＩＰ通信）が可能となる。例えば、図４のような情報がＳＩＰサーバ５００に登録される。
ＩＰネットワーク上にあるＳＩＰ端末６００からＡＴ１００に対して接続要求を行う場合、ＳＩＰ端末６００はＡＴ１００に対してＩＮＶＩＴＥメッセージ７０２を送信する。ＩＮＶＩＴＥメッセージ７０２は途中ＳＩＰサーバ５００を経由してＡＴ１００に送信される。このとき、例えば、ＩＮＶＩＴＥメッセージは通信先のＡＴ１００のＵＲＩ情報を含み、ＳＩＰサーバ５００に登録された情報を参照して通信先のＡＴ１００のＵＲＩ情報に対応するＩＰアドレスが取得され、ＩＰアドレスに従い通信先のＡＴ１００へ届く。ＡＴ１００からＩＮＶＩＴＥメッセージ７０２に対する応答メッセージ７０３がＳＩＰ端末６００に対して送信された後、最終的にＳＩＰ端末６００からＡＴ１００に対してＡＣＫメッセージ７０４が送信されることで、音声通話などのマルチメディアデータ７０５の送受信が行われる。
【００２０】
図７は、通信規制の処理手順の説明図である。図８は、通信規制の処理手順のシーケンス図である。
次に、本発明におけるデータ通信規制の処理手順について、図７、図８を用いて説明する。
ＡＴ１００は、起動時にＳＩＰサーバ５００に対して自ＡＴ１００の登録要求を示すＲＥＧＩＳＴＥＲメッセージ８００を送信する（８００）。このとき、ＡＰ２００、ＰＣＦ−ＳＣ３００、ＰＤＳＮ４００を経由することになる。この時、ＰＤＳＮ４００にてＳＩＰパケットの中身を解析し、ＰＣＦ−ＳＣ３００から送られてくるＲＥＧＩＳＴＥＲメッセージ８００に含まれる、そのパケットの送信元であるＰＣＦ−ＳＣ３００の識別ＩＤと、ＲＥＧＩＳＴＥＲメッセージ８００の送信元ＡＴ１００のＵＲＩ情報とＩＰアドレスとを取り出し、内部に備えた記憶部４２０に記憶する（８０１）。また、登録解除中フラグをクリアする（例えば、０にする）。その後、ＰＤＳＮ４００は、ＲＥＧＩＳＴＥＲメッセージをＳＩＰサーバ６００へ送信する（８０２）。ＰＣＦ−ＳＣ３００の識別ＩＤとしては、例えばＰＣＦ−ＳＣ３００からのＩＰヘッダ部にあるＩＰアドレスなどによりＰＣＦ−ＳＣを識別することが考えられる。ＳＩＰサーバ６００は、ＡＴ１００のＵＲＩ情報とＩＰアドレスを記憶する（図４）。
ここで、ＰＣＦ−ＳＣ３００が管理する無線通信エリアにおいて地震等が発生し、ＰＣＦ−ＳＣ３００に対する呼が急増したとする。ＰＣＦ−ＳＣ３００では、後述する図９に示すフローチャートに従い、内部に備えた呼量計測部３２０において、常に自装置のＡｃｔｉｖｅ回線数を計測しており、Ａｃｔｉｖｅ回線数が予め定められた規制開始閾値よりも上回った場合には、ＰＣＦ−ＳＣ３００はＰＤＳＮ４００に対して規制開始メッセージ８０３を送信する。
【００２１】
図１０に、ＰＣＦ−ＳＣからＰＤＳＮに送信する規制開始／解除メッセージの一例を示す。規制メッセージに例えばＳＩＰ＿ｃｏｎｔｒｏｌフィールドというフィールドを設け（１０００）、ここの値を１：規制開始、２：規制解除と割り当てることにより（１００１）、規制開始メッセージおよび規制解除メッセージを送受信する。
ＰＤＳＮ４００では、ＰＣＦ−ＳＣ３００から規制開始メッセージ８０３を受け取り、記憶部４２０から当該ＰＣＦ−ＳＣ３００に対応するＡＴ情報の有無を検索する。例えば、記憶部４２０を参照して当該ＰＣＦ−ＳＣ３００の識別ＩＤを検索する。該当するＡＴ情報（当該ＰＣＦ−ＳＣ３００の識別ＩＤに対応するＵＲＩ、ＩＰアドレス）が見つかった場合、該ＰＤＳＮ４００に備えたＳＩＰパケット生成部４３０により該当するＡＴの登録解除要求を示すＲＥＧＩＳＴＥＲメッセージを生成し、ＳＩＰサーバ５００に対して送信する（８０５）。
【００２２】
図１１に、登録解除メッセージの一例を示す。ＲＥＧＩＳＴＥＲメッセージ内でｅｘｐｉｒｅｓ＝０とすることで登録を解除することが可能である。登録解除メッセージは、例えば、ＡＴ１００のＵＲＩ情報を含む。また、このとき記憶部４２０にある登録解除を行ったＡＴ情報欄へ登録解除中のフラグ４２４を立てる（例えば、１とする）。
ＰＤＳＮ４００から登録解除のＲＥＧＩＳＴＥＲメッセージ８０５を受信したＳＩＰサーバ５００は当該ＡＴの登録を解除する。例えば、ＳＩＰサーバ５００は、登録解除メッセージに含まれるＵＲＩ情報とＩＰアドレス情報に従い、ＳＩＰサーバに登録（記憶）されたＵＲＩ情報とＩＰアドレス情報を削除する。ここで外部の通信端末６００から規制中エリアの移動体通信端末１００へのＩＮＶＩＴＥメッセージ８０６が送信された場合には、当該ＡＴはＳＩＰサーバ５００に未登録であるため、ＳＩＰサーバ５００からＩＮＶＩＴＥメッセージ８０６を送信してきたＳＩＰ端末６００へエラーメッセージ８０７が送信され、通信不可となる。このように、ＳＩＰを用いたデータ通信が規制できる。
また、ＰＣＦ−ＳＣ３００から規制開始メッセージ８０３を送信する際、自装置の管理する無線エリアのＡＴ１００および１０１に対しても、規制中メッセージ８０８を送信することにより当該エリアにいるユーザに対して規制中であることを明示することができる。
【００２３】
（規制解除）
図１２は、本システムにおける規制解除時の動作のシーケンス図である。
上述の動作により特定エリアが規制状態になった後、図９に示すフローチャートに従いＰＣＦ−ＳＣ３００に搭載されている呼量計測部３２０において計測されたＡｃｔｉｖｅ回線数が、予め定められた規制解除閾値よりも下回った場合、上述の規制開始メッセージと同様に、ＰＣＦ−ＳＣ３００からＰＤＳＮ４００に対して規制解除メッセージ１１００を送信する。ＰＤＳＮ４００では、ＰＣＦ−ＳＣ３００から規制解除メッセージ１１００を受け取り、記憶部４２０から当該ＰＣＦ−ＳＣ３００に対応するＡＴ情報の有無および登録解除中フラグの有無を検索する。もし該当するＡＴ情報が存在し、かつ登録解除中フラグが立っていた（例えば、１）場合、ＰＤＳＮ４００に備えたＳＩＰパケット生成部４３０により該当するＡＴの登録要求を示すＲＥＧＩＳＴＥＲメッセージ１１０２を生成し、ＳＩＰサーバ５００に対して送信する。
ＰＤＳＮ４００から登録要求のＲＥＧＩＳＴＥＲメッセージ１１０２を受信したＳＩＰサーバ５００は、当該ＡＴの登録を行う。これにより、端末から再度登録のための処理を行わなくても、以後通常通りＳＩＰによるデータ通信が可能となる（１１０３〜１１０６）。また、ＰＣＦ−ＳＣ３００から規制解除メッセージ１１０２を送信する際、自装置の管理する無線エリアのＡＴ１００および１０１に対しても、規制解除メッセージ１１０６を送信することにより当該エリアにいるユーザに対して規制解除されたことを明示することができる。
【００２４】
図９は、ＰＣＦ−ＳＣ３００のフローチャートである。
ＰＣＦ−ＳＣ３００では、内部に備えた呼量計測部３２０にて常時呼量を計測している。ＰＣＦ−ＳＣ３００は、計測された呼量が予め定められた規制開始閾値以上となった場合（９０１）、ＰＤＳＮ４００に規制開始メッセージを送信する（９０２）。また、ＰＣＦ−ＳＣ３００は、自装置の管理エリア内のＡＴへ規制中メッセージを送信してもよい（９０３）。その後も、呼量計測部３２０にて呼量を計測しており（９０４）、呼量が予め定められた規制解除閾値よりも下回った場合には、ＰＤＳＮ４００に規制解除メッセージを送信する（９０５）。また、ＰＣＦ−ＳＣ３００は、自装置の管理エリア内のＡＴへ規制解除メッセージを送信してもよい（９０６）。なお、規制開始閾値と規制終了閾値は異なる値を用いてもよいし、同じ値でもよい。一例として、規制開始閾値は規制終了閾値よりも大きな値に設定することができる。
以上により一連の処理が終了し（９０７）、再度ＳＴＡＲＴにより呼量の計測を行う（９００）。
【００２５】
（監視サーバによる規制開始／終了）
以上は、無線ネットワーク側が自律で規制開始および規制解除を行う場合を示したが、無線ネットワーク上に監視サーバを設置し、オペレータの操作により規制開始および規制解除を行うようにしてもよい。  図１３に、システム構成を示す。
ＰＣＦ−ＳＣ３００は、自装置が管理する呼量が予め定められた閾値を超えたことを検出すると、監視サーバ７００に対して呼量閾値超過メッセージを送信する。監視サーバ７００は、呼量閾値超過メッセージを表示し、該表示に従い入力される規制開始の指示に従い、ＰＤＳＮ４００に対して規制開始メッセージを送信する。例えば、監視サーバのオペレータの操作により、適宜の入力部から規制開始の指示が入力される。
ＰＤＳＮ４００は、規制開始メッセージを監視サーバ７００から受信すると、該ＰＣＦ−ＳＣ３００が管理するＡＴ１００の登録を解除するための登録解除メッセージを、ＳＩＰサーバ５００に送信する。ＳＩＰサーバ５００が、登録解除メッセージに従い、該ＡＴ１００のＵＲＩ情報とＩＰアドレス情報を削除することにより、ＳＩＰを用いた該ＡＴ１００へのデータ通信の規制を行うことができる。なお、登録解除メッセージを作成する詳細な処理、登録解除メッセージに含まれるデータ、ＳＩＰサーバ６００による登録を解除する詳細な処理等の他の処理は、上述と同様であるので説明を省略する。
【産業上の利用可能性】
【００２６】
本発明は、例えば、ＳＩＰを用いて通信するシステムに利用可能である。
【図面の簡単な説明】
【００２７】
【図１】通信規制システムの構成概略図。
【図２】ＰＣＦ−ＳＣ、ＰＤＳＮの内部構成の概略図。
【図３】ＰＤＳＮに備えた記憶部の概略図。
【図４】ＳＩＰサーバのメモリフィールド構成図。
【図５】通常処理の説明図。
【図６】通常処理のシーケンス図。
【図７】通信規制処理の説明図。
【図８】通信規制処理のシーケンス図。
【図９】ＰＣＦ−ＳＣにおける、規制開始及び規制解除のフローチャート。
【図１０】ＰＣＦ−ＳＣから送信される規制メッセージの構成。
【図１１】登録解除メッセージの一例。
【図１２】通信規制解除時のシーケンス図。
【図１３】監視サーバを追加した場合のシステム構成の概略図。
【符号の説明】
【００２８】
１００、１０１  通信端末ＡＴ（Ａｃｃｅｓｓ  Ｔｅｒｍｉｎａｌ）
２００、２０１、２０２、２０３  基地局ＡＰ（Ａｃｃｅｓｓ  Ｐｏｉｎｔ）
３００、３０１  パケット制御装置ＰＣＦ−ＳＣ（Ｐａｃｋｅｔ  Ｃｏｎｔｒｏｌ  Ｆｕｎｃｔｉｏｎ  −  Ｓｅｓｓｉｏｎ  Ｃｏｎｔｒｏｌ）
４００  ゲートウェイ装置ＰＤＳＮ（Ｐａｃｋｅｔ  Ｄａｔａ  Ｓｅｒｖｉｎｇ  Ｎｏｄｅ）
５００  ＳＩＰサーバ
６００  ＩＰネットワーク上のＳＩＰ端末
７００  監視サーバ
４２０  記憶部
４３０  ＳＩＰパケット生成部
４４０  パケット処理部
【図１】
0004845853.tif 000002
【図２】
0004845853.tif 000003
【図３】
0004845853.tif 000004
【図４】
0004845853.tif 000005
【図５】
0004845853.tif 000006
【図６】
0004845853.tif 000007
【図７】
0004845853.tif 000008
【図８】
0004845853.tif 000009
【図９】
0004845853.tif 000010
【図１０】
0004845853.tif 000011
【図１１】
0004845853.tif 000012
【図１２】
0004845853.tif 000013
【図１３】
0004845853.tif 000014